【手続補正書】
【提出日】平成25年2月12日(2013.2.12)
【手続補正１】
【補正対象書類名】明細書
【補正対象項目名】発明の名称
【補正方法】変更
【補正の内容】
【発明の名称】携帯情報機器及びプログラム
【手続補正２】
【補正対象書類名】特許請求の範囲
【補正対象項目名】全文
【補正方法】変更
【補正の内容】
【特許請求の範囲】
【請求項１】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納され、
前記第１の時間と前記第２の時間との間に、前記表示部が接触されている位置は、前記第１の時間に前記第１の画像が表示されていた前記表示部の第１の部分から前記第２の時間に前記フォルダが表示されている前記表示部の第２の部分に移動されること、
を特徴とする携帯情報機器。
【請求項２】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納され、
前記第１の時間と前記第２の時間との間に、前記第１の画像は、前記第１の時間に前記第１の画像が表示されていた前記表示部の第１の部分から前記第２の時間に前記フォルダが表示されていた前記表示部の第２の部分の方向に移動し、
前記第１の時間と前記第２の時間との間に、前記表示部の第３の部分が接触され、
前記第３の部分は、前記第１の部分と前記第２の部分との間に位置すること、
を特徴とする携帯情報機器。
【請求項３】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納され、
前記第１の時間と前記第２の時間との間に、前記第１の画像は、前記第１の時間に前記第１の画像が表示されていた前記表示部の第１の部分から前記第２の時間に前記フォルダが表示されていた前記表示部の第２の部分の方向に移動すること、
を特徴とする携帯情報機器。
【請求項４】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納されること、
を特徴とする携帯情報機器。
【請求項５】
表示部を備えた携帯情報機器であって、
第１の時間に前記表示部の第１の領域に第１の画像が表示され、
前記第１の時間に前記表示部の第２の領域にフォルダが表示され、
前記第１の時間に前記第１の領域が接触され、前記第１の時間の後の第２の時間に前記第２の領域が接触されることにより前記第１の画像が前記フォルダに格納され、
前記第１の時間と前記第２の時間との間の第３の時間に、前記表示部の第３の領域に接触され、
前記第３の領域は、前記第１の領域と前記第２の領域との間に位置すること、
を特徴とする携帯情報機器。
【請求項６】
表示部を備えた携帯情報機器であって、
第１の時間に前記表示部の第１の領域に第１の画像が表示され、
前記第１の時間に前記表示部の第２の領域にフォルダが表示され、
前記第１の時間に前記第１の領域が接触され、前記第１の時間の後の第２の時間に前記第２の領域が接触されることにより前記第１の画像が前記フォルダに格納されること、
を特徴とする携帯情報機器。
【請求項７】
表示部を備えた携帯情報機器であって、
前記表示部に第１の画像とフォルダとが表示され、
第１の時間に前記第１の画像が接触された後に、第２の時間に前記フォルダが接触されることにより前記第１の画像が前記フォルダに格納され、
前記第１の時間と前記第２の時間との間に、前記第１の時間に前記表示部に接触されていた第１の部分と前記第２の時間に接触されていた前記表示部の第２の部分との間の第３の部分に接触されていること、
を特徴とする携帯情報機器。
【請求項８】
表示部を備えた携帯情報機器であって、
前記表示部に第１の画像とフォルダとが表示され、
前記第１の画像が接触された後に、前記フォルダが接触されることにより前記第１の画像が前記フォルダに格納され、
前記第１の画像が接触された後、前記フォルダに格納される間の期間に前記表示部が接触されていること、
を特徴とする携帯情報機器。
【請求項９】
表示部を備えた携帯情報機器であって、
前記表示部に第１の画像とフォルダとが表示され、
前記第１の画像が接触された後に、前記フォルダが接触されることにより前記第１の画像が前記フォルダに格納されること、
を特徴とする携帯情報機器。
【請求項１０】
表示部を備えた携帯情報機器であって、
前記表示部に第１の画像とフォルダとが表示され、
前記第１の画像を前記フォルダにドラッグ・アンド・ドロップすることにより、前記第１の画像が前記フォルダに格納されること、
を特徴とする携帯情報機器。
【請求項１１】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納され、
前記第１の時間と前記第２の時間との間の第３の時間に、前記表示部が接触されている位置は、前記第１の時間に前記第１の画像が表示されていた前記表示部の第１の部分から前記第２の時間に前記フォルダが表示されている前記表示部の第２の部分に移動されること、
を特徴とする携帯情報機器。
【請求項１２】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納され、
前記第１の時間は、前記表示部が接触されている位置は移動されず、
前記第１の時間と前記第２の時間との間に、前記表示部が接触されている位置は、前記第１の時間に前記第１の画像が表示されていた前記表示部の第１の部分から前記第２の時間に前記フォルダが表示されている前記表示部の第２の部分に移動されること、
を特徴とする携帯情報機器。
【請求項１３】
表示部を備えた携帯情報機器であって、
第１の時間に前記表示部に第１の画像が表示され、
前記第１の時間に前記第１の画像が接触され、前記第１の時間の後の第２の時間に前記表示部に表示されているフォルダが接触されることにより、前記第１の画像が前記フォルダに格納され、
前記第１の時間は、前記表示部が接触されている位置は移動されず、
前記第１の時間と前記第２の時間との間の第３の時間に、前記表示部が接触されている位置は、前記第１の時間に前記第１の画像が表示されていた前記表示部の第１の部分から前記第２の時間に前記フォルダが表示されている前記表示部の第２の部分に移動されること、
を特徴とする携帯情報機器。
【請求項１４】
表示部を備えた携帯情報機器において、
第１の時間に前記表示部に第１の画像が表示されるステップと、
前記第１の時間に前記第１の画像が接触され、前記第１の時間の後の第２の時間に前記
表示部に表示されているフォルダが接触されることにより、前記第１の画像が前記フォルダに格納されるステップと、が実行され、
前記第１の時間と前記第２の時間との間に、前記表示部が接触されている位置は、前記第１の時間に前記第１の画像が表示されていた前記表示部の第１の部分から前記第２の時間に前記フォルダが表示されている前記表示部の第２の部分に移動されること、
を特徴とするプログラム。